(57)【要約】【課題】被収容物に対する保冷効率を向上させることができる容器を提供することを課題とする。【解決手段】底壁２１の表面と天壁３の裏面との少なくとも一方には、容器１を立てた状態で内部空間の底壁当接部又は天壁当接部よりも上側と下側とを連通する凹状の溝部６が設けられていることを特徴とする。【選択図】図１２
2014051316.tif 000002
【特許請求の範囲】
【請求項１】
発泡性合成樹脂製の容器本体および蓋体を備え、
前記容器本体は、板状の底壁と、該底壁の表側外周縁部から立設され高さ方向端部を容器本体の開口部とする枠状の側壁であって、内部空間に被収容物を収容して前記高さ方向が水平方向となるように容器本体を立てた状態で被収容物を載置する載置面を有する側壁とを備え、
前記蓋体は、容器本体の開口部を閉塞する板状の天壁を備え、
容器本体の底壁の表面には、前記容器本体を立てた状態における上下方向途中位置に、開口部側に向かって凸状をなす底壁当接部が凸設されると共に、蓋体の天壁の裏面には、容器本体の開口部を閉塞した状態で底壁当接部に対向して底壁側に向かって凸状をなす天壁当接部が凸設されており、
被収容物を内部空間に収容した容器本体の開口部を蓋体で閉塞し、前記高さ方向が水平方向となり、且つ、載置面が下に位置するように容器を立てた際には、被収容物が、載置面に載置されると共に、底壁当接部と天壁当接部とで挟み込まれて内部空間における移動が規制されるように構成されており、
底壁の表面と天壁の裏面との少なくとも一方には、前記容器を立てた状態で内部空間の底壁当接部又は天壁当接部よりも上側と下側とを連通する凹状の溝部が設けられていることを特徴とする容器。
【請求項２】
前記蓋体の天壁は、裏面の外縁部の一部から垂下して容器本体の側壁の高さ方向端部に嵌合する一対のスカート部であって、前記容器を立てた状態の水平方向である前記高さ方向と上下方向とに直交する左右方向に対向する一対の板状のスカート部を備え、前記天壁当接部は、前記左右方向に長尺に形成されており、
前記溝部は、天壁当接部の左右方向両端部と、前記一対のスカート部の内面との間に形成されていることを特徴とする請求項１記載の容器。
【請求項３】
前記蓋体の天壁は、裏面の外縁部の一部から垂下して容器本体の側壁の高さ方向端部に嵌合する一対のスカート部であって、前記容器を立てた状態の水平方向である前記高さ方向と上下方向とに直交する左右方向に対向する一対の板状のスカート部を備え、
前記容器本体の側壁は、前記天壁の一対のスカート部が高さ方向の端部に嵌合する一対の壁部であって、前記容器を立てた状態の水平方向である前記高さ方向と上下方向とに直交する左右方向に対向する一対の板状の壁部を備え、前記底壁当接部は、前記左右方向に長尺に形成されており、
前記溝部は、底壁当接部の左右方向両端部と、前記一対の壁部の内面との間に形成されていることを特徴とする請求項１又は２に記載の容器。
【発明の詳細な説明】
【技術分野】
【０００１】
本発明は、発泡性合成樹脂で形成された容器本体と蓋体とを備える容器に関する。
【背景技術】
【０００２】
従来、この種の容器としては、例えば特許文献１の図１９に示すような、長尺な被収容物としてアスパラガス等の茎状植物を収容する、発泡性合成樹脂製の容器本体と蓋体とを備えるものが知られている。
【０００３】
この容器本体は、長尺な被収容物を横に寝かして載置する矩形板状の底壁と、該底壁の表側外周縁部から立設され高さ方向端部を容器本体の開口部とする矩形枠状の側壁とを備える。側壁は、底壁の各長辺縁部に形成される一対の長辺壁部と、底壁の各短辺縁部に形成される一対の短辺壁部とを備える。底壁の表面の長手方向略中央部には、一方の長辺壁部から他方の長辺壁部に亘る凸状の底壁当接部が突設されている。また、底壁の表面の長手方向一端側には、一方の長辺壁部から他方の長辺壁部に亘る板状の仕切り板が突設されている。この仕切り板には、凹状の通気溝が前記高さ方向に沿って形成されている。また、この仕切り板によって、容器本体の内部空間は、長手方向において、一端側の空間と、他端側の空間とに仕切れられている。
【０００４】
蓋体は、容器本体の開口部を開閉する矩形板状の天壁と、該天壁の各長辺縁部の中央部に形成される一対の板状のスカート部とを備える。この天壁の裏面の長手方向略中央部には、例えば特許文献２の図４に示すような、一方のスカート部から他方のスカート部に亘る凸状の天壁当接部が突設されている。
【０００５】
かかる容器では、運搬や保管などの場合に、容器本体の内部空間のうち他端側の空間に対し、長尺な被収容物を、その長手方向を底壁の長手方向に沿わせると共に、基端部（下端部）を他端側の空間の短辺壁部に対向させて底壁に載置して収容する。また、被収容物を保冷するための保冷材を一端側の空間に収容する。そして、容器本体の開口部を蓋体で閉塞し、前記側壁の高さ方向が水平方向となるように他端側の空間の短辺壁部を下にして容器を立てた際に、被収容物の基端部（下端部）を前記短辺壁部内面に載置すると共に、底壁当接部と天壁当接部とで被収容物を挟み込んで内部空間における被収容物の移動を規制している。よって、容器内面に被収容物がぶつかり品質が低下することを防止できる。また、仕切り板の通気溝を介して、一端側の空間に収容される保冷材からの冷気を他端側の空間に行き来させることができるので、他端側の空間に収容される被収容物を保冷することができる。
【先行技術文献】
【特許文献】
【０００６】
【特許文献１】登録実用新案第３０２３７８３号公報
【特許文献２】特開２０１０−２６０６３９号公報
【発明の概要】
【発明が解決しようとする課題】
【０００７】
ところが、上記従来の容器にあっては、上記のように被収容物の移動を規制すべく被収容物を挟み込んでいる底壁当接部と天壁当接部とは、内部空間の底壁当接部又は天壁当接部よりも上側と下側との間で保冷材による冷気が行き来することを阻害している。即ち、内部空間の底壁当接部又は天壁当接部よりも下側には、上側の保冷材による冷気は行き渡り難くなっていた。このように被収容物に対する保冷効率の点で改善の余地があった。
【０００８】
そこで、本発明は、上記問題に鑑みてなされたもので、被収容物に対する保冷効率を向上させることができる容器を提供することを課題とする。
【課題を解決するための手段】
【０００９】
本発明に係る容器は、発泡性合成樹脂製の容器本体および蓋体を備え、前記容器本体は、板状の底壁と、該底壁の表側外周縁部から立設され高さ方向端部を容器本体の開口部とする枠状の側壁であって、内部空間に被収容物を収容して前記高さ方向が水平方向となるように容器本体を立てた状態で被収容物を載置する載置面を有する側壁とを備え、前記蓋体は、容器本体の開口部を閉塞する板状の天壁を備え、容器本体の底壁の表面には、前記容器本体を立てた状態における上下方向途中位置に、開口部側に向かって凸状をなす底壁当接部が凸設されると共に、蓋体の天壁の裏面には、容器本体の開口部を閉塞した状態で底壁当接部に対向して底壁側に向かって凸状をなす天壁当接部が凸設されており、被収容物を内部空間に収容した容器本体の開口部を蓋体で閉塞し、前記高さ方向が水平方向となり、且つ、載置面が下に位置するように容器を立てた際には、被収容物が、載置面に載置されると共に、底壁当接部と天壁当接部とで挟み込まれて内部空間における移動が規制されるように構成されており、底壁の表面と天壁の裏面との少なくとも一方には、前記容器を立てた状態で内部空間の底壁当接部又は天壁当接部よりも上側と下側とを連通する凹状の溝部が設けられていることを特徴としている。
【００１０】
かかる構成からなる容器によれば、運搬や保管などの場合に、被収容物と該被収容物を保冷するための保冷材とを容器本体の内部空間に収容して、該容器本体の開口部を蓋体で閉塞し、側壁の高さ方向が水平方向となるように載置面を下にして容器を立てにすると、被収容物は、載置面の上に載置されると共に、底壁当接部と天壁当接部とで挟み込まれて内部空間における移動が規制される。この被収容物の移動を規制する底壁当接部と天壁当接部とは、内部空間の底壁当接部又は天壁当接部よりも上側と下側との間で保冷材による冷気が行き来することを阻害する壁となる。ここで、底壁の表面と天壁の裏面との少なくとも一方には、前記容器を立てた状態で内部空間の底壁当接部又は天壁当接部よりも上側と下側とを連通する凹状の溝部が設けられているので、前記内部空間の底壁当接部又は天壁当接部よりも上側と下側との間で保冷材による冷気が行き来し易くなっている。従って、かかる構成からなる容器によれば、被収容物に対する保冷効率を向上させることができる。
【００１１】
また、かかる容器では、前記蓋体の天壁は、裏面の外縁部の一部から垂下して容器本体の側壁の高さ方向端部に嵌合する一対のスカート部であって、前記容器を立てた状態の水平方向である前記高さ方向と上下方向とに直交する左右方向に対向する一対の板状のスカート部を備え、前記天壁当接部は、前記左右方向に長尺に形成されており、前記溝部は、天壁当接部の左右方向両端部と、前記一対のスカート部の内面との間に形成されるように構成することも可能である。
【００１２】
かかる構成からなる容器によれば、溝部は、左右方向に長尺な天壁当接部の左右方向両端部と、一対のスカート部の内面との間に形成されており、且つ、被収容物は、一般的に容器内において左右方向の中央部側に収容されるので、左右方向に長尺な天壁当接部によって、前記容器を立てた際に、被収容物の水平方向の移動を十分に規制することができると共に、天壁当接部の左右方向両端部側に設けられた溝部は、保冷材による冷気を通す通気路として適し、内部空間の底壁当接部又は天壁当接部よりも上側と下側との間で冷気が行き来し易くなっており、被収容物に対する保冷効率を向上させることができる。
【００１３】
また、かかる容器では、前記蓋体の天壁は、裏面の外縁部の一部から垂下して容器本体の側壁の高さ方向端部に嵌合する一対のスカート部であって、前記容器を立てた状態の水平方向である前記高さ方向と上下方向とに直交する左右方向に対向する一対の板状のスカート部を備え、前記容器本体の側壁は、前記天壁の一対のスカート部が高さ方向の端部に嵌合する一対の壁部であって、前記容器を立てた状態の水平方向である前記高さ方向と上下方向とに直交する左右方向に対向する一対の板状の壁部を備え、前記底壁当接部は、前記左右方向に長尺に形成されており、前記溝部は、底壁当接部の左右方向両端部と、前記一対の壁部の内面との間に形成されるように構成することも可能である。
【００１４】
かかる構成からなる容器によれば、溝部は、左右方向に長尺な底壁当接部の左右方向両端部と、一対の壁部の内面との間に形成されており、且つ、被収容物は、一般的に容器内において左右方向の中央部側に収容されるので、左右方向に長尺な底壁当接部によって、前記容器を立てた際に、被収容物の水平方向の移動を十分に規制することができると共に、底壁当接部の左右方向両端部側に設けられた溝部は、保冷材による冷気を通す通気路として適し、内部空間の底壁当接部又は天壁当接部よりも上側と下側との間で冷気が行き来し易くなっており、被収容物に対する保冷効率を向上させることができる。
【発明の効果】
【００１５】
本発明の容器によれば、運搬や保管などの場合に、被収容物と該被収容物を保冷するための保冷材とを容器本体の内部空間に収容して、該容器本体の開口部を蓋体で閉塞し、側壁の高さ方向が水平方向となるように載置面を下にして容器を立てにすると、被収容物は、載置面の上に載置されると共に、底壁当接部と天壁当接部とで挟み込まれて内部空間における移動が規制される。この被収容物の移動を規制する底壁当接部と天壁当接部とは、内部空間の底壁当接部又は天壁当接部よりも上側と下側との間で保冷材による冷気が行き来することを阻害する壁となる。ここで、底壁の表面と天壁の裏面との少なくとも一方には、前記容器を立てた状態で内部空間の底壁当接部又は天壁当接部よりも上側と下側とを連通する凹状の溝部が設けられているので、前記内部空間の底壁当接部又は天壁当接部よりも上側と下側との間で保冷材による冷気が行き来し易くなっている。従って、本発明の容器によれば、被収容物に対する保冷効率を向上させることができるという効果を奏する。
【図面の簡単な説明】
【００１６】
【図１】本実施形態に係る容器の斜視図を示す。
【図２】同容器の断面図を示す。
【図３】同容器本体の平面図を示す。
【図４】同容器本体の底面図を示す。
【図５】（ａ）は同容器本体の左側面図、（ｂ）は右側面図を示す。
【図６】（ａ）は同容器本体の正面図、（ｂ）は背面図を示す。
【図７】同蓋体の平面図を示す。
【図８】同蓋体の底面図を示す。
【図９】同蓋体の正面図を示す。
【図１０】同蓋体の左側面図を示す。
【図１１】運搬や保管などのために同容器を立てた状態の断面図を示す。
【図１２】図１１のＡ−Ａ断面図を示す。
【発明を実施するための形態】
【００１７】
以下、本発明に係る容器の一実施形態について、図１から図１２を参照しつつ説明する。本実施形態の容器１は、長尺な被収容物Ｃとしてアスパラガス等の茎状植物を収容することができる箱型状に形成されている。
【００１８】
容器１は、図１，２に示すように、上端部に開口部２Ａを有する発泡性合成樹脂製の容器本体２と、容器本体２の開口部２Ａを閉じて密閉状態にするための発泡性合成樹脂製の蓋体３とを備える。尚、発泡性合成樹脂としては、特に限定されないが、例えば発泡ポリスチレン、発泡ポリエチレン、発泡ポリプロピレン等の各種発泡性合成樹脂が利用できる。また、容器１の短辺方向を左右方向とし、容器１の長辺方向を前後方向とする（以下、図中では、左方向を「左」で、右方向を「右」で、それぞれ示し、前方向を「前」で、後方向を「後」で、それぞれ示している）。
【００１９】
容器本体２は、図３から図６に示すように、長尺な被収容物Ｃを横に寝かして載置する多角形状又は円形状の底壁２１と、前記底壁２１の上側（表側）外周縁部から立設され高さ方向端部を容器本体２の開口部２Ａとする枠状の本体側壁２Ｂと、容器本体２の内部空間を前後方向において２つに区画する仕切り板２２とを備えてなる。
【００２０】
本実施形態では、底壁２１は、平面視略矩形の板状に形成されている。底壁２１の上面２１Ｕは容器本体２の底面に相当し、被収容物Ｃに当接する面又は被収容物Ｃを支持する面である。なお、底壁２１の上面２１Ｕを表面と称し、下面２１Ｌを裏面と称してもよい。底壁２１上面２１Ｕの前後方向（長手方向）中央部には、図３に示すように、左右方向（短手方向）に長尺な底壁当接部２１Ａが凸設されている。その底壁当接部２１Ａの前方から前後方向の前端側（詳細には、後述の仕切り板２２まで）にかけて、前後方向の前側に向かって高さが高くなるような傾斜をなす傾斜部２１Ｂが形成されている。
【００２１】
また、図４に示すように、底壁２１の下面２１Ｌは、平面状である。この下面２１Ｌの外縁部であって、前後方向の前側と後側には、外周の周方向に沿って凹状の窪み２１ｃが形成されている（図２，４参照）。また、下面２１Ｌの中央部には、凹状の中央凹部２１ａが設けられている。この中央凹部２１ａは、上面２１Ｕで凸状をなす底壁当接部２１Ａに対応している。中央凹部２１ａは、左右方向（短手方向）に沿って形成されており、左右方向に長尺である。また、この中央凹部２１ａの前方から前後方向の前端側にかけて、凹状の前凹部２１ｂが設けられている。この凹状の前凹部２１ｂは、上面２１Ｕで傾斜をなす傾斜部２１Ｂに対応している。前凹部２１ｂは、左右方向（短手方向）に沿って形成されており、左右方向に長尺である。また、前凹部２１ｂの前方であって、前後方向の前端側には、前方を指す矢印状の窪み２１ｄが設けられている。
【００２２】
また、左右方向（短手方向）に沿う下面２１Ｌ外周縁の中央部、即ち短辺縁部の中央部には、指を掛けて容器本体２を把持するための凹状の把持用凹部２１Ｓが形成されている（図２，４，５参照）。この把持用凹部２１Ｓは、下面２１Ｌから上面２１Ｕ側に向けて、底壁２１の厚み方向（表裏方向又は高さ方向）の途中（例えば底壁２１の略半分の厚み）まで形成されている。
【００２３】
また、前後方向（長手方向）に沿う下面２１Ｌ外周縁の中央部、即ち長辺縁部の中央部には、傾斜をなす部分２１Ｔであって、指を掛けて容器本体２を把持するための把持用傾斜部２１Ｔ、或いは、容器本体２と蓋体３とを固定するバンドを掛け回すためのバンド掛部２１Ｔが形成されている（図４，６参照）。この把持用傾斜部２１Ｔ又はバンド掛部２１Ｔは、底壁下面２１Ｌと底壁外周側面とが、底壁下面２１Ｌから底壁外周側面に向かって上方（高さ方向の開口部２Ａ側）に傾斜する傾斜面で連結されてなる。
【００２４】
底壁当接部２１Ａは、底壁２１の前後方向の後側から中央部側にかけて設けられており、凸状をなす（図２，３参照）。具体的には、底壁当接部２１Ａは、前後方向の後側から中央部側に向かって上面２１Ｕの高さが高くなるように傾斜をなしている。また、底壁当接部２１Ａは、左右方向に沿って長尺であり、左右方向の高さは、略同一である。この底壁当接部２１Ａの左右方向の両端部は、本体側壁２Ｂ（詳細には、後述の左右側壁２３，２３）に連設されている。
【００２５】
傾斜部２１Ｂは、底壁当接部２１Ａの前方に設けられており、詳細には、底壁２１の前後方向の中央部側から前側にかけて設けられている（図２，３参照）。傾斜部２１Ｂは、前後方向の中央部側から前側に向かって上面２１Ｕの高さが高くなるように傾斜をなしている。また、傾斜部２１Ｂは、左右方向の高さは、略同一である。
【００２６】
かかる底壁２１には、本体側壁２Ｂが上面２１Ｕの外周縁部から上方に立ち上げられている。また、底壁２１上面２１Ｕの長手方向前側（一端側）には、容器本体２の内部空間を前後方向において前側空間ＦＳと後側空間ＢＳとに区画する仕切り板２２が立設されている。なお、前記傾斜部２１Ｂは、底壁２１上面２１Ｕの前後方向（長手方向）中央部から前側であって、底壁当接部２１Ａと仕切り板２２との間に設けられている。
【００２７】
本体側壁２Ｂは、平面視多角形状又は円形状の枠状に形成されている。本実施形態では、本体側壁２Ｂは、平面視略矩形の枠状をなしており、底壁２１の各長辺の縁部から上方に立ち上げられた左右側壁２３，２３と、底壁２１の各短辺の縁部から上方に立ち上げられた前後側壁２４，２４とを備える。
【００２８】
左右側壁２３，２３では、前後方向の中央部２３ａの高さが両端側及び前後側壁２４，２４の高さよりも低く形成されている（図６参照）。具体的には、左右側壁２３，２３の高さ方向端部では、前後方向の両端側の高さが中央部２３ａ側の高さよりも高くなっており、両端側と中央部２３ａ側とは、傾斜面で連結されている。この中央部２３ａの前側における外面側の上端には、蓋体３を容器本体２に嵌合した際に容器本体２から蓋体３を取り外すために指を入れることができる凹状の指入用凹部２３Ａが形成されている（図６参照）。また、前側壁２４の外面の底壁側には、「上」の文字形状の窪み２４ａが設けられている（図５参照）。また、後側壁２４の内面には、凹凸面が形成されている。具体的には、後側壁２４の内面には、断面四角形（詳細には、断面略矩形）の凸状をなす凸部２４Ｐが、互いに離間して碁盤目状に複数突設されている（図１，図３参照）。この凸部２４Ｐによって、凸部２４Ｐを除いた内面部分が相対的に凹んだ領域となっており、この領域が凹部２４Ｑである。
【００２９】
また、左右側壁２３，２３と前後側壁２４，２４との内面側の上端縁部の全周に亘って、上方に突出した嵌合用凸条２５が形成されている（図１−３，５，６参照）。この嵌合用凸条２５は、平面視略矩形の枠状をなす。
【００３０】
仕切り板２２は、基端部（下端部）が底壁上面２１Ｕから立設される矩形板状の本体壁２２Ａと、該本体壁２２Ａの基端部を支持（又は補強）するリブ２２Ｂとを備える（図１−３参照）。
【００３１】
本体壁２２Ａは、矩形板状をなす。この本体壁２２Ａは、底壁上面２１Ｕの前端側に左右方向に沿って立設され、左右方向の両端部は、左右側壁２３，２３に連設されている。本体壁２２Ａの高さは、左右側壁２３，２３の両端側と前後側壁２４，２４との高さよりも低くなっている。かかる本体壁２２Ａには、凹状の通気溝２２ａが高さ方向に沿って形成されている。具体的には、通気溝２２ａは、本体壁２２Ａの左右方向の中央部と左側と右側との３箇所において、高さ方向端部から基端部側にかけて形成されている。
【００３２】
リブ２２Ｂは、矩形板状をなす。このリブ２２Ｂは、本体壁２２Ａと前側壁２４との間の底壁上面２１Ｕに前後方向に沿って立設されており、本体壁２２Ａの基端部と、前側壁２４の基端部とを連結している。また、リブ２２Ｂは、左右方向に対向して一対設けられている（図３参照）。具体的には、リブ２２Ｂは、左右方向において、本体壁２２Ａの通気溝２２ａ間に各々配置されている。即ち、リブ２２Ｂは、本体壁２２Ａの左右方向中央部の通気溝２２ａを挟み、かつ、左右方向両側の通気溝２２ａの間に一対配置されている。
【００３３】
かかる仕切り板２２は、容器本体２の内部空間を、前後方向において前側空間ＦＳと後側空間ＢＳとに区画している（図２，３参照）。前側空間ＦＳは、被収容物Ｃを保冷するための保冷材（蓄冷材）を収容可能に構成されている。また、後側空間ＢＳは、長尺な被収容物Ｃを、その長手方向を前後方向に沿わせて収容可能に構成されている。具体的には、後側空間ＢＳは、被収容物Ｃの長手方向の先端側を前方向（前側壁２４側）に向け、基端側を後方向（後側壁２４側）に向けて収容可能に構成されている。そして、前側空間ＦＳと後側空間ＢＳとは、仕切り板２２の通気溝２２ａを介して連通している。
【００３４】
このような容器本体２では、内部空間のうち、前側空間ＦＳに保冷材を収容し、後側空間ＢＳに長尺な被収容物Ｃを収容するように構成されている。また、この容器本体２では、前後左右の本体側壁２Ｂの上端に囲まれた内側領域が開口部２Ａとして構成されている。この開口部２Ａは、開口部２Ａに対して着脱自在に構成される蓋体３によって自在に開放或いは閉塞されるようになっている。
【００３５】
蓋体３は、図７から図１０に示すように、平面視多角形状又は円形状の一例として平面視略矩形に形成された板状の天壁３Ａと、天壁３Ａの下面（裏面）外周部に沿って形成される嵌合用溝４と、下面の外縁部の一部から垂下する一対の板状のスカート部５とを備えている。
【００３６】
天壁３Ａは、矩形状の上面（表面）３Ｕと、上面外周縁から下方に垂下する外周側面と、矩形状の下面（底面又は裏面）３Ｌとを有する。天壁３Ａの下面３Ｌの前後方向（長手方向）中央部には、図８に示すように、左右方向（短手方向）に長尺な天壁当接部３１Ａが凸設されている。その天壁当接部３１Ａの前方から前後方向の前端側にかけて、前後方向の前側に向かって高さが高くなるような傾斜をなす傾斜部３１Ｂが形成されている。
【００３７】
また、図７に示すように、天壁３Ａの上面３Ｕの中央部には、凹状の中央凹部３１ａが設けられている。この中央凹部３１ａは、下面３Ｌで凸状をなす天壁当接部３１Ａに対応している。中央凹部３１ａは、左右方向（短手方向）に沿って形成されており、左右方向に長尺である。また、この中央凹部３１ａの前方から前後方向の前端側にかけて、凹状の前凹部３１ｂが設けられている。この前凹部３１ｂは、下面３Ｌで傾斜をなす傾斜部３１Ｂに対応している。前凹部３１ｂは、左右方向（短手方向）に沿って形成されており、左右方向に長尺である。また、前凹部３１ｂの前方であって、前後方向の前端側には、前方を指す矢印状の窪み３１ｃが設けられている。また、前後方向（長手方向）に沿う上面３Ｕ外周縁の中央部、即ち長辺縁部の中央部には傾斜をなす部分３１Ｔであって、指を掛けて蓋体３を把持するための把持用傾斜部３１Ｔ、或いは、容器本体２と蓋体３とを固定するバンドを掛け回すためのバンド掛部３１Ｔが形成されている。この把持用傾斜部３１Ｔ又はバンド掛部３１Ｔでは、天壁上面３Ｕと天壁外周側面とが、上面３Ｕより高さが低い低段部と、該低段部から天壁外周側面に向かって下方に傾斜する傾斜面とで連結されてなる。なお、低段部は、詳細には、上面３Ｕから垂下する垂下面と、該垂下面の下端から水平方向に連設され、上面３Ｕより低い平面とからなる。
【００３８】
天壁当接部３１Ａは、天壁３Ａの下面３Ｌの前後方向の後側から中央部側にかけて設けられており、凸状をなす（図２，８参照）。天壁当接部３１Ａは、前後方向の後側から中央部側に向かって下面３Ｌからの高さが高くなるように傾斜をなしている。また、天壁当接部３１Ａは、左右方向に沿って長尺であり、左右方向の高さは、略同一である。この天壁当接部３１Ａは、天壁３Ａの下面３Ｌの左右方向において、両端部側を除く中央部側に形成されている。
【００３９】
傾斜部３１Ｂは、天壁当接部３１Ａの前方に設けられており、詳細には、天壁３Ａの前後方向の中央部側から前側にかけて設けられている（図２，８参照）。傾斜部３１Ｂは、前後方向の中央部側から前側に向かって下面３Ｌからの高さが高くなるように傾斜をなしている。また、傾斜部３１Ｂは、左右方向の高さは、略同一である。
【００４０】
かかる天壁３Ａには、下面３Ｌの外周部に周方向に沿って、嵌合用凸条２５に嵌合される嵌合用溝４が形成されている。また、下面３Ｌの長辺縁部の前後方向中央部からは、左右方向に対向する一対のスカート部５が下方に垂下している。
【００４１】
嵌合用溝４は、容器本体２の嵌合用凸条２５と着脱自在に嵌合される凹部である。具体的には、嵌合用溝４は、凹状をなしており、天壁３Ａの下面３Ｌの外縁から一定長離間した外周部に、周方向に沿って形成されている（図８参照）。この嵌合用溝４と嵌合用凸条２５とを嵌合させることで、嵌合用溝４と嵌合用凸条２５とが密閉される（容器本体２と蓋体３とが密閉される）と共に、容器本体２の開口部２Ａが蓋体３で覆われるようになっている。
【００４２】
スカート部５は、容器本体２の左右側壁２３，２３における中央部２３ａに嵌合される板状の壁部である。スカート部５は、左右方向（短手方向）に対向する一対の壁部であり、各壁部は、前後方向に沿って形成されている。このスカート部５は、左右側壁２３，２３の中央部２３ａの高さ方向端部（上端部）に嵌合されるように、中央部２３ａの高さ方向端部（上端部）に対応した形状をなす。即ち、スカート部５の高さ方向端部では、前後方向の中央部は、天壁３Ａの下面３Ｌから突出した位置で下面３Ｌと平行をなし、前後方向の両端側は、中央部に向かって傾斜をなしている（図９参照）。
【００４３】
このスカート部５は、天壁３Ａの下面３Ｌの外縁部から突出する外縁壁部５１と、下面３Ｌの外縁部から一定長離間した外周部の嵌合用溝４から突出する溝壁部５２と、下面３Ｌの嵌合用溝４よりも中央部よりの外周部から突出する内側壁部５３とが一体的に構成されてなる（図８，１０参照）。即ち、溝壁部５２は、外縁壁部５１と内側壁部５３とに挟まれている。また、外縁壁部５１と内側壁部５３とは略同一の高さであり、溝壁部５２は、外縁壁部５１及び内側壁部５３よりも低くなっている（図１０参照）。よって、溝壁部５２は、外縁壁部５１及び内側壁部５３に挟まれることで、凹状をなしており、この凹状の溝高及び溝幅はそれぞれ、嵌合用溝４の溝高及び溝幅と略同一である。
【００４４】
外縁壁部５１は、左右側壁２３，２３の外面側の上端縁部に嵌合するように構成される。溝壁部５２は、左右側壁２３，２３の内面側の上端縁部における嵌合用凸条２５に嵌合するように構成される。内側壁部５３は、左右側壁２３，２３の前記嵌合用凸条２５の内面側に嵌合するように構成される。よって、蓋体３を容器本体２に嵌合した状態では、左右側壁２３，２３における嵌合用凸条２５は、スカート部５の溝壁部５２に嵌め込まれる。
【００４５】
かかる左右方向に対向する一対のスカート部５の間には、前記天壁当接部３１Ａ及び傾斜部３１Ｂが設けられており、天壁当接部３１Ａ及び傾斜部３１Ｂの左右方向両端部は、スカート部５から離間して設けられている。このスカート部５と天壁当接部３１Ａ及び傾斜部３１Ｂとの間の領域は、凹状をなす溝部６である（図８，１０参照）。具体的には、溝部６は、蓋体３の下面３Ｌに設けられており、天壁３Ａの裏側領域のうち、左右方向において、スカート部５の内面（詳細には、内側壁部５３の内面）と、天壁当接部３１Ａ及び傾斜部３１Ｂの左右方向両端部とに挟まれた領域からなる。また、この溝部６は、前後方向の中央部側に、スカート部５の内側壁部５３に対応して設けられており、内側壁部５３と略同一の長さを有し、前後方向に長尺に形成されている。
【００４６】
以上の構成からなる容器１では、被収容物Ｃを内部空間に収容した容器本体２の開口部２Ａを蓋体３で閉塞する。具体的には、作業者等によって容器本体２の開口部２Ａから被収容物Ｃ又は被搬送物Ｃとしてアスパラガスが後側空間ＢＳに収容されると共に、保冷材（蓄冷材）Ｄが前側空間ＦＳに収容された後に、容器本体２に蓋体３が装着されることで開口部２Ａが閉じられる（容器本体２の内部が外部に対してほぼ密封される）。
【００４７】
この容器１は、本体側壁２Ｂの高さ方向が水平方向となるように後側壁２４を下にして容器１を立てた際に、被収容物Ｃを後側壁２４の内面に載置すると共に、底壁当接部２１Ａと天壁当接部３１Ａとで被収容物Ｃを挟み込んで内部空間における被収容物Ｃの移動を規制しており、この状態で搬送（運搬）又は保管に供される（図１１参照）。換言すれば、容器１は、後側壁２４を下にして、前後方向を上下方向とし、高さ方向を水平方向として立てた状態で搬送（運搬）又は保管に供される。なお、左右方向は、容器１を立てた状態の水平方向である前記高さ方向と上下方向とに直交する方向である。また、このように容器１を立てた状態で、容器本体２では、底壁２１下面２１Ｌの前方を指す矢印状の窪み２１ｄが上方を向き、前側壁２４の「上」の文字形状の窪み２４ａが上面となる。蓋体３では、天壁３Ａ上面３Ｕの前方を指す矢印状の窪み３１ｃが上方を向く。
【００４８】
ここで、後側壁２４の内面（凸部２４Ｐ及び凹部２４Ｑ）は、内部空間に被収容物Ｃを収容して前記高さ方向が水平方向となるように容器本体２を立てた状態で被収容物Ｃを載置する載置面である（図１１参照）。
【００４９】
また、容器本体２の底壁２１の上面２１Ｕには、本体側壁２Ｂの高さ方向が水平方向となるように後側壁２４内面を下にして容器本体２を立てた状態における上下方向途中位置に、開口部２Ａ側に向かって凸状をなす底壁当接部２１Ａが凸設されると共に、蓋体３の天壁３Ａの下面３Ｌには、容器本体２の開口部２Ａを閉塞した状態で底壁当接部２１Ａに対向して底壁２１側に向かって凸状をなす天壁当接部３１Ａが凸設されている。よって、容器１を前記のように立てた際に、後側空間ＢＳに収容された被収容物Ｃは、底壁当接部２１Ａと天壁当接部３１Ａとで水平方向の移動が規制され、後側空間ＢＳ内で位置決めされている。
【００５０】
また、天壁３Ａの下面３Ｌには、前記容器１を立てた状態で内部空間の底壁当接部２１Ａ又は天壁当接部３１Ａよりも上側と下側とを連通する凹状の溝部６が設けられている（図１２参照）。よって、前側空間ＦＳに収容された保冷材Ｄによる冷気が仕切り板２２の通気溝２２ａを介して、前側空間ＦＳから後側空間ＢＳに行き来する。この後側空間ＢＳにおける冷気は、溝部６を介して、底壁当接部２１Ａ又は天壁当接部３１Ａよりも上側から下側に行き来する。また、後側壁２４の内面、即ち載置面は、凸部２４Ｐと凹部２４Ｑとを備えてなるので、凹部２４Ｑが冷気の通り道になっている。即ち、被収容物Ｃの基端側においても冷気が行渡る。このように、被収容物Ｃの先端側から基端側まで冷気が万遍なく循環し、被収容物Ｃを保冷している。
【００５１】
以上、本実施形態に係る容器１によれば、発泡性合成樹脂製の容器本体２および蓋体３を備え、前記容器本体２は、板状の底壁２１と、該底壁２１の表側外周縁部から立設され高さ方向端部を容器本体２の開口部２Ａとする枠状の本体側壁２Ｂであって、内部空間に被収容物Ｃを収容して前記高さ方向が水平方向となるように容器本体２を立てた状態で被収容物Ｃを載置する載置面（後側壁２４の内面２４Ｐ，２４Ｑ）を有する本体側壁２Ｂとを備え、前記蓋体３は、容器本体２の開口部２Ａを閉塞する板状の天壁３Ａを備え、容器本体２の底壁２１の上面２１Ｕには、前記容器本体２を立てた状態における上下方向途中位置に、開口部２Ａ側に向かって凸状をなす底壁当接部２１Ａが凸設されると共に、蓋体３の天壁３Ａの下面３Ｌには、容器本体２の開口部２Ａを閉塞した状態で底壁当接部２１Ａに対向して底壁２１側に向かって凸状をなす天壁当接部３１Ａが凸設されており、被収容物Ｃを内部空間に収容した容器本体２の開口部２Ａを蓋体３で閉塞し、前記高さ方向が水平方向となり、且つ、載置面が下に位置するように容器１を立てた際には、被収容物Ｃが、載置面に載置されると共に、底壁当接部２１Ａと天壁当接部３１Ａとで挟み込まれて内部空間における移動が規制されるように構成されており、天壁３Ａの下面３Ｌには、前記容器１を立てた状態で内部空間の底壁当接部２１Ａ又は天壁当接部３１Ａよりも上側と下側とを連通する凹状の溝部６が設けられている。
【００５２】
かかる構成からなる容器１によれば、運搬や保管などの場合に、被収容物Ｃと該被収容物Ｃを保冷するための保冷材Ｄとを容器本体２の内部空間に収容して、該容器本体２の開口部２Ａを蓋体３で閉塞し、本体側壁２Ｂの高さ方向が水平方向となるように載置面を下にして容器を立てにすると、被収容物Ｃは、載置面の上に載置されると共に、底壁当接部２１Ａと天壁当接部３１Ａとで挟み込まれて内部空間における移動が規制されている。この被収容物Ｃの移動を規制する底壁当接部２１Ａと天壁当接部３１Ａとは、内部空間の底壁当接部２１Ａ又は天壁当接部３１Ａよりも上側と下側との間で保冷材Ｄによる冷気が行き来することを阻害する壁となる。ここで、天壁３Ａの下面３Ｌには、前記容器１を立てた状態で内部空間の底壁当接部２１Ａ又は天壁当接部３１Ａよりも上側と下側とを連通する凹状の溝部６が設けられているので、前記内部空間の底壁当接部２１Ａ又は天壁当接部３１Ａよりも上側と下側との間で保冷材Ｄによる冷気が行き来し易くなっている。従って、かかる構成からなる容器１によれば、被収容物Ｃに対する保冷効率を向上させることができる。
【００５３】
また、本実施形態に係る容器１では、前記蓋体３の天壁３Ａは、下面３Ｌの外縁部の一部から垂下して容器本体２の本体側壁２Ｂの高さ方向端部に嵌合する一対のスカート部５であって、前記容器１を立てた状態の水平方向である前記高さ方向と上下方向とに直交する左右方向に対向する一対の板状のスカート部５を備え、前記天壁当接部３１Ａは、前記左右方向に長尺に形成されており、前記溝部６は、天壁当接部３１Ａの左右方向両端部と、前記一対のスカート部５の内面との間に形成されている。
【００５４】
かかる構成からなる容器１によれば、溝部６は、左右方向に長尺な天壁当接部３１Ａの左右方向両端部と、一対のスカート部５の内面との間に形成されており、且つ、被収容物Ｃは、一般的に容器１内において左右方向の中央部側に収容されるので、左右方向に長尺な天壁当接部３１Ａによって、前記容器１を立てた際に、被収容物Ｃの水平方向の移動を十分に規制することができると共に、天壁当接部３１Ａの左右方向両端部側に設けられた溝部６は、保冷材Ｄによる冷気を通す通気路として適し、内部空間の底壁当接部２１Ａ又は天壁当接部３１Ａよりも上側と下側との間で冷気が行き来し易くなっており、被収容物Ｃに対する保冷効率を向上させることができる。
【００５５】
また、本実施形態に係る容器１では、容器本体２は、内部空間を前後方向において前側空間ＦＳと後側空間ＢＳとに区画する仕切り板２２を備えているので、前側空間ＦＳに保冷材Ｄを収容し、後側空間ＢＳに被収容物Ｃを収容して、両者を内部空間内で分けて収容することができる。また、仕切り板２２の通気溝２２ａを介して、前側空間ＦＳに収容される保冷材Ｄからの冷気を後側空間ＢＳに行き来させることができる。よって、被収容物Ｃと保冷材Ｄとの接触による被収容物Ｃの品質の低下を防止できると共に、被収容物Ｃを適度に保冷することができる。
【００５６】
また、本実施形態に係る容器１では、底壁当接部２１Ａと天壁当接部３１Ａとを備えているので、容器１を立てた状態で底壁当接部２１Ａと天壁当接部３１Ａとで被収容物Ｃを挟み込んで内部空間における被収容物Ｃの位置を位置決めすることができる。よって、容器１内面に被収容物Ｃがぶつかり品質が低下することを防止できる。
【００５７】
また、本実施形態に係る容器１では、容器本体２の載置面（後側壁２４の内面）は、凸部２４Ｐと凹部２４Ｑとからなるので、保冷材Ｄによる冷気が凹部２４Ｑに流れ込むことで、載置面に載置した被収容物Ｃを基端側から保冷できる。即ち、保冷効率を向上させることができる。
【００５８】
尚、本発明は、前記実施形態に限定されるものではなく、本発明の要旨を逸脱しない範囲で種々の変更が可能である。
【００５９】
前記実施形態では、溝部６は、スカート部５と天壁当接部３１Ａ及び傾斜部３１Ｂとの間の領域として構成される場合について説明したが、これに限らず、溝部６は、蓋体３の左右方向の中央部側で、天壁当接部３１Ａ及び傾斜部３１Ｂの長手方向の中央部側に形成することも可能である。また、溝部６は、凹状をなす場合について説明したが、これに限らず、溝部６は、天壁当接部３１Ａ及び傾斜部３１Ｂに前後方向に沿って貫通して設けることも可能である。
【００６０】
また、前記実施形態では、溝部６は、蓋体３の下面３Ｌに設けられる場合について説明したが、これに限らず、溝部６は、底壁２１の上面２１Ｕと天壁３Ａの下面３Ｌとの少なくとも一方に設けることが可能である。
【００６１】
例えば、容器１では、容器本体２の本体側壁２Ｂは、天壁３Ａの一対のスカート部５が高さ方向の端部に嵌合する一対の左右側壁２３，２３であって、前記容器１を立てた状態の水平方向である前記高さ方向と上下方向とに直交する左右方向に対向する一対の板状の左右側壁２３，２３を備え、前記底壁当接部２１Ａは、前記左右方向に長尺に形成されており、溝部６は、底壁当接部２１Ａの左右方向両端部と、前記一対の左右側壁２３，２３の内面との間に形成されるように構成することも可能である。
【００６２】
この溝部６は、底壁２１の上面２１Ｕに設けられており、底壁２１の表側領域のうち、左右方向において、左右側壁２３，２３の内面と、底壁当接部２１Ａ及び傾斜部２１Ｂの左右方向両端部とに挟まれた領域からなる。また、この溝部６は、前後方向の中央部側に前後方向に沿って設けられており、前後方向に長尺に形成されている。
【００６３】
かかる構成からなる容器１によれば、溝部６は、左右方向に長尺な底壁当接部２１Ａの左右方向両端部と、一対の左右側壁２３，２３の内面との間に形成されており、且つ、被収容物Ｃは、一般的に容器１内において左右方向の中央部側に収容されるので、左右方向に長尺な底壁当接部２１Ａによって、前記容器１を立てた際に、被収容物Ｃの水平方向の移動を十分に規制することができると共に、底壁当接部２１Ａの左右方向両端部側に設けられた溝部６は、保冷材Ｄによる冷気を通す通気路として適し、内部空間の底壁当接部２１Ａ又は天壁当接部３１Ａよりも上側と下側との間で冷気が行き来し易くなっており、被収容物Ｃに対する保冷効率を向上させることができる。
【００６４】
なお、底壁２１の上面２１Ｕと天壁３Ａの下面３Ｌとの両方に溝部６を設ける場合には、底壁２１と天壁３Ａとの溝部６は、同形状（断面形状、長さ）又は異なる形状で構成することが可能である。また、蓋体３で容器本体２の開口部２Ａを閉塞した状態で、底壁２１の溝部６と天壁３Ａの溝部６とが互いに対向又は対向しないように構成するが可能である。
【符号の説明】
【００６５】
１・・・容器、２・・・容器本体、２Ａ・・・開口部、２Ｂ・・・本体側壁、３・・・蓋体、３Ａ・・・天壁、４・・・嵌合用溝、５・・・スカート部、６・・・溝部、２１・・・底壁、２１Ａ・・・底壁当接部、２１Ｂ・・・傾斜部、２２・・・仕切り板、２２ａ・・・通気溝、２３，２３・・・左右側壁、２４，２４・・・前後側壁、２４Ｐ・・・凸部、２４Ｑ・・・凹部、２５・・・嵌合用凸条、３１Ａ・・・天壁当接部、３１Ｂ・・・傾斜部、５１・・・外縁壁部、５２・・・溝壁部、５３・・・内側壁部、Ｃ・・・被収容物、Ｄ・・・保冷材、ＦＳ・・・前側空間、ＢＳ・・・後側空間
【図１】
2014051316.tif 000003
【図２】
2014051316.tif 000004
【図３】
2014051316.tif 000005
【図４】
2014051316.tif 000006
【図５】
2014051316.tif 000007
【図６】
2014051316.tif 000008
【図７】
2014051316.tif 000009
【図８】
2014051316.tif 000010
【図９】
2014051316.tif 000011
【図１０】
2014051316.tif 000012
【図１１】
2014051316.tif 000013
【図１２】
2014051316.tif 000014